(57)【要約】【課題】照明負荷を強制点灯させることができ、かつ照明負荷を強制消灯させることのできる人感センサを具備する照明装置を提供する。【解決手段】照明装置１は、照明負荷７を点消灯させる外部操作手段５と、人体を検知する人感センサ２５と、人感センサ２５による人体の検知に応じて照明負荷７を制御するセンサ制御手段３２と、外部操作手段５により照明負荷７を点灯させる手動操作が行われたときに照明負荷７を強制的に一定期間に亘って点灯させ、外部操作手段５により照明負荷７を消灯させる手動操作が行われたときに照明負荷７を強制的に消灯させ、かつ、手動操作の時点から所定期間Ｔ２に亘ってセンサ制御手段３２による制御を停止させ、所定期間Ｔ２経過後に当該停止を解除する外部操作制御手段３２を具備している。【選択図】図１
2005285542.tif 000002
【特許請求の範囲】
【請求項１】
照明負荷と；
照明負荷を点消灯または調光させる外部操作手段と；
人体を検知する人感センサと；
人感センサが人体を検知したときに人体の存在に応じた制御信号を出力して照明負荷を制御し、前記検知時点から第１の所定期間内に再び人体を検知しないときに人体の不存在に応じた制御信号を出力して照明負荷を制御するセンサ制御手段と；
外部操作手段により照明負荷を点灯させる手動操作が行われたときに照明負荷を強制的に一定期間に亘って点灯させるとともに、外部操作手段により照明負荷を消灯または調光させる手動操作が行われたときに照明負荷を強制的に消灯または調光させ、かつ、当該手動操作の時点から第２の所定期間に亘ってセンサ制御手段による制御を停止させ、第２の所定期間経過後に当該停止を解除する外部操作制御手段と；
を具備していることを特徴とする照明装置。
【請求項２】
第１および第２の所定期間をそれぞれ設定する設定手段を具備していることを特徴とする請求項１記載の照明装置。
【発明の詳細な説明】
【技術分野】
【０００１】
本発明は、人体の存否を検出する人感センサを備えている照明装置に関する。
【背景技術】
【０００２】
人体から放射される熱線を焦電素子のような熱線センサ（人感センサ）により検知して人体の存否を検出することにより、照明器具を自動的に点消灯させる照明装置が広く利用されている。この種の照明装置は、一般的に、人体の存在を検出して照明器具を点灯させた後、人体の存在を検出しなくなった時から所定期間（遅延時間）後に照明器具を消灯させるようにしている。そして、当該所定期間は、人体が存在していない状態で照明器具が点灯しているので、照明器具の消費電力が無駄になっている。
【０００３】
この消費電力の無駄を解消するものとして、部屋から退出する際に、例えば壁に配設された専用のスイッチを操作することにより、照明器具を強制的に消灯させているセンサ付照明器具が提案されている(例えば、特許文献１参照。)。
【０００４】
また、少なくとも照明器具の点灯は、熱線センサの検出に基づいて行い、部屋を出るときや寝るときなど、照明器具の消灯を手動スイッチの消灯操作に基づいて行う人体検出機能付配線器具が提案されている(例えば、特許文献２参照。)。
【特許文献１】特開平１１−１８５９７７号公報（第４頁、第１図）
【特許文献２】特開２００１−２３７０８５号公報（第３頁、第１図）
【発明の開示】
【発明が解決しようとする課題】
【０００５】
特許文献１および特許文献２は、人体が存在しないときの照明器具の消費電力の無駄を解消できるという利点がある。しかし、熱線センサが人体を検知する領域まで移動しないと照明負荷が点灯しないという欠点を有する。すなわち、前記照明器具の消費電力の無駄の解消とともに、熱線センサが人体を検出する前に照明負荷を点灯させたいという要望がある。
【０００６】
本発明は、照明負荷を強制点灯させることができ、かつ照明負荷を強制消灯させることのできる人感センサを具備する照明装置を提供することを目的とする。
【課題を解決するための手段】
【０００７】
請求項１に記載の照明装置の発明は、照明負荷と；照明負荷を点消灯または調光させる外部操作手段と；人体を検知する人感センサと；人感センサが人体を検知したときに人体の存在に応じた制御信号を出力して照明負荷を制御し、前記検知時点から第１の所定期間内に再び人体を検知しないときに人体の不存在に応じた制御信号を出力して照明負荷を制御するセンサ制御手段と；外部操作手段により照明負荷を点灯させる手動操作が行われたときに照明負荷を強制的に一定期間に亘って点灯させるとともに、外部操作手段により照明負荷を消灯または調光させる手動操作が行われたときに照明負荷を強制的に消灯または調光させ、かつ、当該手動操作の時点から第２の所定期間に亘ってセンサ制御手段による制御を停止させ、第２の所定期間経過後に当該停止を解除する外部操作制御手段と；を具備していることを特徴とする。
【０００８】
本発明および以下の発明において、特に言及しない限り、各構成は以下による。
【０００９】
外部操作手段は、例えば壁スイッチやプルスイッチなどのスイッチ、リモコンを許容する。
【００１０】
センサ制御手段から出力される人体の不存在に応じた制御信号は、連続的に出力される人体の存在に応じた制御信号を停止させることであってもよい。すなわち、センサ制御手段から人体の存在に応じた制御信号が出力されないことを人体の不存在に応じた制御信号が出力されるとしてよい。
【００１１】
また、センサ制御手段は、点消灯制御の他、人体の存否に応じた制御信号により、照明負荷を調光制御するように構成されていてもよい。すなわち、センサ制御手段は、人体の存在に応じた制御信号を出力することにより、照明負荷を点灯させる。このときの照明負荷の調光率は、予め設定された調光率であってもよく、照度センサの検知信号に応じて照明エリアが一定の明るさとなるように調光率が変化されるものであってもよい。そして、人体の不存在に応じた制御信号を出力することにより、照明負荷を消灯または調光点灯させる。
【００１２】
「センサ制御手段による制御を停止させる」とは、人感センサが人体を検知しても照明負荷を消灯または調光状態から点灯させないことを意味する。また、「当該停止を解除する」とは、人感センサが人体を検知したときにセンサ制御手段が人体の存在に応じた制御信号を出力して照明負荷を点灯させ、第１の所定期間内に再び人体を検知しないときに人体の不存在に応じた制御信号を出力して照明負荷を消灯または調光させることを意味する。
【００１３】
本発明によれば、外部操作手段により照明負荷を点灯させる手動操作が行われと、照明負荷が強制的に一定期間に亘って点灯される。また、外部操作手段により照明負荷を消灯または調光させる手動操作が行われると、照明負荷が強制的に消灯または調光され、第２の所定期間内に人感センサが人体を検知しても照明負荷の消灯または調光が維持される。
【００１４】
請求項２に記載の照明装置の発明は、請求項１記載の照明装置において、第１および第２の所定期間をそれぞれ設定する設定手段を具備していることを特徴とする。
【００１５】
設定手段は、手動操作設定部またはリモコンによる設定を許容する。
【００１６】
人感センサによる人体の検知頻度が大きいときは、第１の所定期間を長時間に設定し、人体の検知頻度が小さいときは、第１の所定期間を短時間に設定することが省資源、省電力の観点から望ましい。すなわち、人感センサによる人体の検知頻度が大きいときに第１の所定期間が短時間であると、照明負荷の点滅回数が多くなり、照明負荷の寿命が短くなるおそれがある。また、例えば、短時間の所用で離席したときに照明負荷が消灯していると、人に不快感や違和感などを与えるおそれがある。一方、人感センサによる人体の検知頻度が小さいときに第１の所定期間が長時間であると、室内に人が存在していない状態で、照明負荷が点灯している時間が長くなることがあり、この第１の所定期間の消費電力が無駄になるという不具合がある。
【００１７】
そして、第１の所定期間の消費電力の無駄を解消するために、第２の所定期間に亘って照明負荷を強制的に消灯または調光させる。ここで、第２の所定期間が短時間であると、例えば室内から退出する前に第２の所定期間がタイムアップし、人感センサが人体を検出するおそれがある。また、第２の所定期間が長時間であると、例えば第２の所定期間内に室内に入ってきた人に対して照明負荷が点灯されない期間が長くなるおそれがあるという不具合がある。したがって、人感センサによる人体の検知頻度などに応じて、第１および第２の所定期間を適宜設定することが好ましい。
【００１８】
本発明によれば、人感センサによる人体の検知頻度などに応じて、設定手段により第１および第２の所定期間がそれぞれ設定される。
【発明の効果】
【００１９】
請求項１の発明によれば、外部操作手段により照明負荷を点灯させる手動操作が行われると、照明負荷が強制的に一定期間に亘って点灯されるので、例えば暗闇の中を移動することがなく、人感センサの検知領域までの移動が容易となり、また、人感センサの検知領域に達したときに照明負荷が点灯していると、違和感を防止することができる。また、外部操作手段により照明負荷を消灯または調光させる手動操作が行われると、第２の所定期間に亘って照明負荷が強制的に消灯または調光されるので、人体の不存在時に照明負荷が点灯することによる無駄な消費電力を無くすことができる。
【００２０】
請求項２の発明によれば、人感センサによる人体の検知頻度などの使用環境に応じて、第１および第２の所定期間をそれぞれ適宜設定することにより、人感センサによる照明制御を有効に利用することができる。
【発明を実施するための最良の形態】
【００２１】
以下、本発明の一実施の形態について、図面を参照して説明する。まず、本発明の第１の実施形態について説明する。
【００２２】
図１〜図８は、本発明の第１の実施形態を示し、図１は照明装置の概略構成図、図２は天井に取り付けられた状態の親機のセンサ装置の概略正面図、図３は親機のセンサ装置のカバーが取り外された状態の概略下面図、図４は照明制御装置の概略ブロック図、図５は子機のセンサ装置の概略回路図、図６は時限オフスイッチ装置の概略回路図、図７は信号線に伝送される検知信号および操作信号の信号図、図８は照明負荷の制御を示す動作図である。
【００２３】
図１において、照明装置１は、親機としてのセンサ装置２、子機としてのセンサ装置３，４、外部操作手段としての時限オフスイッチ装置５および照明器具６を有して構成されている。
【００２４】
センサ装置２は、例えば室内の天井面に配設され、センサ装置３は、例えば廊下の天井面に配設され、センサ装置４は、例えば玄関などの出入口より奥側の天井面に配設されている。また、時限オフスイッチ装置５は、例えば玄関などの出入口の壁面に配設されている。そして、照明器具６は、室内の天井面に直付けされ、吊り下げられ、あるいは埋設されている。照明器具６は、照明負荷としての蛍光ランプ７およびこの蛍光ランプ７を点灯させる点灯装置（図示しない。）を具備している。
【００２５】
親機のセンサ装置２には、電源線８を介して商用交流電源が入力されている。この電源は、電源線９を介して照明器具６の点灯装置に供給可能となっている。また、直流電圧に変換され、信号線１０を介して子機のセンサ装置３，４および時限オフスイッチ装置５に供給されている。
【００２６】
センサ装置２は、図２に示すように、センサ装置本体１２、カバー１３および取付金具１４，１４等を有して構成されている。センサ装置本体１２は、例えばＡＢＳ樹脂により形成され、天井１５に形成された開口部１６に埋め込まれている。そして、センサ装置本体１２の下面に円盤状のカバー１３が着脱可能に取り付けられている。すなわち、センサ装置本体１２には、天井１５の下面１５ａに当接し、かつ、カバー１３と略同径のフランジ部１７が設けられている。このフランジ部１７に設けられた爪部１８，１８（図３に示す。）にカバー１３が係合されている。
【００２７】
そして、センサ装置本体１２の側面には、天井１５の上面１５ｂに当接してセンサ装置本体１２を保持する取付金具１４，１４がそれぞれ取り付けられ、上部側面には、図示しない電源用端子部および制御用端子部が設けられている。
【００２８】
そして、センサ装置２のフランジ部１７の内側は、図３に示すように、部品配置部１９となっている。部品配置部１９には、設定手段としてのフェーダ２０，２１、リモコン送信機２２（図１に示す。）からの送信信号を受信するリモコン受信部２３、リモコン送信機２２に返信信号を送信するリモコン送信部２４および人体から放射される熱線を検知する人感センサ２５などが配設されている。この人感センサ２５は、焦電センサであり、その検知範囲は、円錐形の内部で、例えば、天井１５の下面１５ａからの距離２ｍの検知面で直径約５ｍの範囲内を検知するようになっている。
【００２９】
そして、フェーダ２０は、第１の所定期間を設定するものであり、センサ装置本体１２内の可変抵抗器（図示しない。）に接続されている。そして、起点から終点までの操作範囲で移動操作させることにより、第１の所定期間を０〜３０分の範囲で設定させる。また、フェーダ２１は、第２の所定期間を設定するものであり、同じく、第２の所定期間を０〜５分の範囲で設定させる。
【００３０】
また、センサ装置２は、センサ装置本体１２の内部に照明制御装置２６を具備している。照明制御装置２６は、図４に示すように、電源部２７、子機・時限オフスイッチ通信インターフェース（Ｉ／Ｆ）部２８、人感センサインターフェース（Ｉ／Ｆ）部２９、リモコン送受信インターフェース（Ｉ／Ｆ）部３０、設定操作部３１、センサ制御手段および外部操作制御手段としての主制御部３２、記憶部３３、計時部３４、センサ制御手段および外部操作制御手段としての負荷制御インターフェース（Ｉ／Ｆ）部３５を有して構成されている。
【００３１】
電源部２７は、電源端子３６，３６に接続されている。電源端子３６，３６は、電源線８を介して商用交流電源（図示しない。）に接続されている。そして、電源部２７は、交流電圧を直流電圧に変換すると共に、所定の電圧値に調整して、主制御部３２やその他の回路部に駆動電源を供給するように構成されている。また、子機・時限オフスイッチ通信Ｉ／Ｆ部２８を介して、通信端子３７，３７から子機のセンサ装置３，４および時限オフスイッチ装置５に直流電源例えば１２Ｖを供給している。通信端子３７，３７は、信号線１０を介して子機のセンサ装置３，４および時限オフスイッチ装置５に接続されている。
【００３２】
電源端子３６，３６は、リレー３８を介して負荷端子３９，３９に接続されている。そして、負荷端子３９，３９は、電源線９を介して照明器具６の点灯装置に接続されている。リレー３８がオンされることにより、商用交流電源の交流電圧が点灯装置に供給される。
【００３３】
子機・時限オフスイッチ通信Ｉ／Ｆ部２８は、人感センサＩ／Ｆ部２９および主制御部３２に接続され、人感センサＩ／Ｆ部２９から送出された人感センサ２５による人体の検知信号を主制御部３２に送出するように構成されている。また、通信端子３７，３７および信号線１０を介して子機のセンサ装置３，４に接続され、子機のセンサ装置３，４の人感センサ２５が検知した人体の検知信号を主制御部３２に送出するように構成されている。さらに、通信端子３７，３７および信号線１０を介して時限オフスイッチ装置５に接続され、時限オフスイッチ装置５において、蛍光ランプ７を点灯または消灯させる手動操作（外部操作）が行われると、外部操作信号を主制御部３２に送出するように構成されている。
【００３４】
人感センサＩ／Ｆ部２９は、人感センサ２５に接続されており、人感センサ２５が検知した人体の検知信号を子機・時限オフスイッチ通信Ｉ／Ｆ部２８に送出するように構成されている。
【００３５】
リモコン送受信Ｉ／Ｆ部３０は、リモコン受信部２３およびリモコン送信部２４に接続されている。そして、リモコン受信部２３が受信したリモコン送信機２２から送信された制御信号、例えば蛍光ランプ７を点灯させる点灯信号や調光点灯させる調光信号あるいは蛍光ランプ７を強制的に消灯させる消灯信号（外部操作信号）を主制御部３２に送出するように構成されている。すなわち、リモコン送信機２２は、外部操作手段としても用いられる。また、主制御部３２から送出された蛍光ランプ７の点灯状態や第１および第２の所定期間などの返信信号をリモコン送信部２４に送出して、リモコン送信部２４からリモコン送信機２２に送信させるように構成されている。
【００３６】
設定操作部３１は、センサ装置２の部品配置部１９に設けられたフェーダ２０，２１の操作量に応じて、それぞれ第１の所定期間および第２の所定期間を設定するように構成されている。第１および第２の所定期間は、主制御部３２に送出され、主制御部３２により記憶部３３に記憶される。
【００３７】
主制御部３２は、ＣＰＵおよびプログラムが格納されたＲＯＭなどを具備している。そして、主制御部３２は、時限オフスイッチ装置５において蛍光ランプ７を点灯させる手動操作が行われ、子機・時限オフスイッチ通信Ｉ／Ｆ部２８から外部操作信号が送出されると、リレー３８をオンにさせる制御信号を一定期間例えば１分出力するように構成されている。すなわち、人感センサ２５が人体を検知する前に、時限オフスイッチ装置５で蛍光ランプ７を点灯させる手動操作が行われたときに、照明器具６の蛍光ランプ７が点灯するように制御する。
【００３８】
また、主制御部３２は、人感センサ２５が人体を検知して、子機・時限オフスイッチ通信Ｉ／Ｆ部２８から人体の検知信号が送出されると、負荷制御Ｉ／Ｆ部３５に人体の存在に応じた制御信号としてのリレー３８をオンにさせる制御信号を出力するように構成されている。すなわち、人感センサ２５が人体を検知したときに、照明器具６の蛍光ランプ７が点灯するように制御する。
【００３９】
そして、人感センサ２５が人体を検知した検知時点から第１の所定期間内に再び人体を検知しないと、負荷制御Ｉ／Ｆ部３５に対するリレー３８をオンにさせる制御信号の出力を停止するように構成されている。この制御信号の停止により、負荷制御Ｉ／Ｆ部３５は、リレー３８をオフにする。すなわち、人感センサ２５により人体が検知された時点から第１の所定期間後に蛍光ランプ７が消灯するように制御する。当該制御信号の停止は、人体の不存在に応じた制御信号を出力することと同等である。以上の主制御部３２による蛍光ランプ７の制御は、センサ制御手段を形成している。
【００４０】
また、主制御部３２は、蛍光ランプ７が点灯しているときに、子機・時限オフスイッチ通信Ｉ／Ｆ部２８から時限オフスイッチ装置５から出力された蛍光ランプ７を消灯させる外部操作信号を入力すると、負荷制御Ｉ／Ｆ部３５に対するリレー３８をオンにさせる制御信号の出力を停止するように構成されている。この制御信号の停止により、負荷制御Ｉ／Ｆ部３５は、リレー３８をオフにする。すなわち、時限オフスイッチ装置５のスイッチ部５ａが手動操作され、時限オフスイッチ装置５から蛍光ランプ７を消灯させる外部操作信号が出力されると、蛍光ランプ７を強制的に消灯させる。そして、当該手動操作の時点から第２の所定期間に亘って人感センサ２５による検知信号に応じた蛍光ランプ７の制御を停止させる。すなわち、第２の所定期間に亘って、蛍光ランプ７は強制的に消灯される。そして、第２の所定期間経過後に、人感センサ２５による検知信号に応じた蛍光ランプ７の制御を停止することが解除され、再び人感センサ２５による検知信号に応じて蛍光ランプ７の点消灯が制御される。以上の主制御部３２による蛍光ランプ７の制御は、外部操作制御手段を形成している。
【００４１】
記憶部３３は、第１および第２の所定期間などの諸データが記憶されている。また、計時部３４は、主制御部３２の制御により、人感センサ２５により人体が検知された時点からの第１の所定期間を計時し、時限オフスイッチ装置５の手動操作の時点から第２の所定期間を計時する。そして、第１の所定期間または第２の所定期間の計時がタイムアップすると、計時完了の信号を主制御部３２に送出するように構成されている。
【００４２】
負荷制御Ｉ／Ｆ部３５は、主制御部３２から送出されたリレー３８をオンにさせる制御信号に応じてリレー３８をオンさせるように構成されている。そして、主制御部３２が当該制御信号の出力を停止すると、リレー３８をオフさせる。
【００４３】
そして、子機のセンサ装置３，４は、図１に示すように、それぞれ通信線１０を介して親機のセンサ装置２に接続されている。すなわち、信号線１０は、図４に示す照明制御装置２６の通信端子３７，３７に接続されている。
【００４４】
子機のセンサ装置３，４は、親機のセンサ装置２と略相似の外形であって、小型に形成されている。そして、部品配置部１９には、図３に示すリモコン受信部２３、リモコン送信部２４および設定手段としてのフェーダ２０，２１などは備えられず、人感センサ２５が具備されている。そして、子機のセンサ装置３，４のセンサ装置本体１２の内部には、人感センサ２５により人体が検知されたときの検知信号を親機のセンサ装置２の照明制御装置２６に送出する検知信号送信装置４０が設けられている。ここで、親機のセンサ装置３と同一部分には、同一符号を用いている。
【００４５】
検知信号送信装置４０は、図５に示すように、整流器４１、電源部４２、人感センサインターフェース（Ｉ／Ｆ）部４３、送信信号生成部４４およびＮ形のバイポーラトランジスタＴｒ１を有して構成されている。そして、人感センサ２５は、人感センサＩ／Ｆ部４３に接続されている。
【００４６】
整流器４１の入力端子は、通信端子４５，４５に接続されている。この通信端子４５，４５は、信号線１０を介して親機のセンサ装置２の照明制御装置２６の通信端子３７，３７に接続されている。これにより、通信端子４５，４５には、照明制御装置２６の電源部２７（子機・時限オフスイッチ通信Ｉ／Ｆ部２８）から出力された直流電圧１２Ｖが供給されており、直流電圧が整流器４１の入力端子に入力されている。
【００４７】
整流器４１の出力端子間には、ツェナーダイオードＺＤ１およびバイポーラトランジスタＴｒ１の直列回路が接続されている。そして、バイポーラトランジスタＴｒ１は、ベースが抵抗Ｒ１を介して送信信号生成部４４の出力側に接続され、ベースおよびエミッタ間に抵抗Ｒ２が接続されている。バイポーラトランジスタＴｒ１のベースに送信信号生成部４４の出力電圧（送信信号）が印加されると、バイポーラトランジスタＴｒ１はオンする。ここで、ツェナーダイオードＺＤ１のツェナー電圧は、例えば７．５Ｖである。
【００４８】
バイポーラトランジスタＴｒ１がオンすると、整流器４１の正極側の出力端子からツェナーダイオードＺＤ１およびバイポーラトランジスタＴｒ１の直列回路を介して負極側の出力端子に電流が流れる。この結果、整流器４１およびツェナーダイオードＺＤ１などにより通信端子４５，４５間に電圧降下が発生し、通信端子４５，４５間の電圧が１２Ｖから９Ｖに低下する。この電圧降下は、親機側の照明制御装置２６の子機・時限スイッチ通信Ｉ／Ｆ部２８により検出される。すなわち、図７に示すように、子機・時限オフスイッチ通信Ｉ／Ｆ部２８で約３Ｖの電圧が検出される。これにより、子機のセンサ装置３，４の人感センサ２５が検知した人体の検知信号が子機・時限オフスイッチ通信Ｉ／Ｆ部２８に入力され、さらに主制御部３２に送出される。
【００４９】
電源部４２は、Ｎ形のバイポーラトランジスタＴｒ２、ツェナーダイオードＺＤ２、抵抗Ｒ３および抵抗Ｒ４を有して構成されている。そして、整流器４１の出力端子間に抵抗Ｒ３、抵抗Ｒ４およびツェナーダイオードＺＤ２が接続されている。これにより、整流器４１の正極側の出力端子から抵抗Ｒ３および抵抗Ｒ４を介してバイポーラトランジスタＴｒ２のベースに電流が流れるので、バイポーラトランジスタＴｒ２は、常にオンする。このバイポーラトランジスタＴｒ２のオンにより、整流器４１から人感センサＩ／Ｆ部４３および送信信号生成部４４などに駆動電源が供給されている。
【００５０】
人感センサＩ／Ｆ部４３は、人感センサ２５が人体を検知すると、検知信号を送信信号生成部４４に送出するように構成されている。そして、送信信号生成部４４は、当該検知信号に応じて、送信信号をバイポーラトランジスタＴｒ１のベースに出力するように構成されている。この送信信号がバイポーラトランジスタＴｒ１のベースに印加され、バイポーラトランジスタＴｒ１がオンすることにより、上述したように、子機側の人感センサ２５が人体を検知したときの検知信号が親機側の照明制御装置２６の子機・時限オフスイッチ通信Ｉ／Ｆ部２８に入力される。
【００５１】
そして、時限オフスイッチ装置５は、図１に示すように、子機のセンサ装置３，４と同様、信号線１０に接続され、信号線１０より直流電圧が供給されて動作している。そして、スイッチ部５ａの操作に応じて、外部操作信号を親機のセンサ装置２の照明制御装置２６に送出する外部操作信号送信装置４６が設けられている。この外部操作信号は、蛍光ランプ７が消灯しているときにスイッチ部５ａが操作されると、蛍光ランプ７を点灯させる信号となり、蛍光ランプ７が点灯しているときにスイッチ部５ａが操作されると、蛍光ランプ７を消灯させる信号となるものである。
【００５２】
外部操作信号送信装置４６は、図６に示すように、整流器４７、電源部４８、スイッチ判定部４９、送信信号生成部５０およびＮ形のバイポーラトランジスタＴｒ３を有して構成されている。そして、スイッチ部５ａは、スイッチ判定部４９に接続されている。手動操作によりスイッチ部５ａをオンさせると、スイッチ判定部４９はオン信号を送信信号生成部５０に送出するように構成されている。そして、送信信号生成部５０は、当該オン信号に応じて、出力電圧（送信信号）をバイポーラトランジスタＴｒ３に供給するように構成されている。
【００５３】
整流器４７の入力端子は、通信端子５１，５１に接続されている。この通信端子５１，５１は、信号線１０を介して親機のセンサ装置２の照明制御装置２６の通信端子３７，３７に接続されている。これにより、通信端子５１，５１には、照明制御装置２６の電源部２７（子機・時限オフスイッチ通信Ｉ／Ｆ部２８）から出力された直流電圧１２Ｖが供給されており、直流電圧が整流器４７の入力端子に入力されている。
【００５４】
整流器４７の出力端子間には、ツェナーダイオードＺＤ３およびバイポーラトランジスタＴｒ３の直列回路が接続されている。そして、バイポーラトランジスタＴｒ３は、ベースが抵抗Ｒ５を介して送信信号生成部５０の出力側に接続され、ベースおよびエミッタ間に抵抗Ｒ６が接続されている。バイポーラトランジスタＴｒ３のベースに送信信号生成部５０の出力電圧が印加されると、バイポーラトランジスタＴｒ３はオンする。ここで、ツェナーダイオードＺＤ３のツェナー電圧は、例えば６．５Ｖである。
【００５５】
バイポーラトランジスタＴｒ３がオンすると、整流器４７の正極側の出力端子からツェナーダイオードＺＤ３およびバイポーラトランジスタＴｒ３の直列回路を介して負極側の出力端子に電流が流れる。この結果、整流器４７およびツェナーダイオードＺＤ３などにより通信端子５１，５１間に電圧降下が発生し、通信端子５１，５１間の電圧が１２Ｖから８Ｖ低下する。この電圧降下は、親機側の照明制御装置２６の子機・時限オフスイッチ通信Ｉ／Ｆ部２８により検出される。すなわち、図７に示すように、子機・時限オフスイッチ通信Ｉ／Ｆ部２８で４Ｖの電圧が検出される。これにより、時限オフスイッチ装置５のスイッチ部５ａの手動操作が行われたことが外部操作信号として子機・時限オフスイッチ通信Ｉ／Ｆ部２８に入力され、さらに主制御部３２に送出される。
【００５６】
電源部４８は、Ｎ形のバイポーラトランジスタＴｒ４、ツェナーダイオードＺＤ４、抵抗Ｒ７および抵抗Ｒ８を有して構成されている。そして、整流器４７の出力端子間に抵抗Ｒ７、抵抗Ｒ８およびツェナーダイオードＺＤ４が接続されている。これにより、整流器４７の正極側の出力端子から抵抗Ｒ７および抵抗Ｒ８を介してバイポーラトランジスタＴｒ４のベースに電流が流れるので、バイポーラトランジスタＴｒ２は、常にオンする。このバイポーラトランジスタＴｒ２のオンにより、整流器４７からスイッチ判定部４９および送信信号生成部５０などに駆動電源が供給されている。
【００５７】
上述したように、照明制御装置２６の子機・時限オフスイッチ通信Ｉ／Ｆ部２８において、信号線１０に供給されている直流電圧の変化により、子機のセンサ装置３，４の人感センサ２５が検知した人体の検知信号および時限オフスイッチ装置５の外部操作信号を検出している。すなわち、子機・時限オフスイッチ通信Ｉ／Ｆ部２８は、常時、信号線１０の電圧を検出している。そして、図７に示すように、子機のセンサ装置３，４および時限オフスイッチ装置５の駆動により微小な電圧が検出され、約３Ｖの検出により、子機のセンサ装置３，４の人感センサ２５により人体が検知したことを検出し、４Ｖの検出により、時限オフスイッチ装置５により蛍光ランプ７を点灯または消灯させる手動操作が行われたことを検出している。そして、人感センサ２５による検知信号または時限オフスイッチ装置５による外部操作信号として主制御部３２に送出している。また、子機・時限オフスイッチ通信Ｉ／Ｆ部２８は、親機の人感センサ２５が検出した検知信号が入力され、当該検知信号を主制御部３２に送出する。
【００５８】
次に、本発明の第１の実施形態の動作について述べる。
【００５９】
人感センサ２５が人体を検出する前に、例えば玄関に設けられている時限オフスイッチ装置５のスイッチ部５ａを手動操作すると、図８（ａ）に示すように、蛍光ランプ７を点灯させる外部操作信号が照明制御装置２６の子機・時限オフスイッチ通信Ｉ／Ｆ部２８に入力され、さらに子機・時限オフスイッチ通信Ｉ／Ｆ部２８から主制御部３２に入力される。
【００６０】
図４において、主制御部３２は、蛍光ランプ７が消灯しているときに、子機・時限オフスイッチ通信Ｉ／Ｆ部２８から外部操作信号を入力すると、負荷制御Ｉ／Ｆ部３５に対してリレー３８をオンにさせる制御信号を出力する。負荷制御Ｉ／Ｆ部３５は、当該制御信号に応じて、リレー３８をオンさせる。リレー３８がオンすると、照明制御装置２６の負荷端子３９，３９間に商用交流電源からの交流電圧が印加され、交流電圧は、電源線９を介して照明器具６に配設されている点灯装置に入力される。そして、点灯装置は、蛍光ランプ７を点灯させる。このように、人感センサ２５が人体を検出する前に、時限オフスイッチ装置５のスイッチ部５ａを手動操作すると、主制御部３２は、照明器具６の蛍光ランプ７を強制的に一定期間例えば１分点灯させる。
【００６１】
そして、親機のセンサ装置２に設けられている人感センサ２５または子機のセンサ装置３，４に設けられている人感センサ２５が人体の存在を検知すると、人体の検知信号が親機のセンサ装置２に配設されている照明制御装置２６の子機・時限オフスイッチ通信Ｉ／Ｆ部２８に入力され、さらに子機・時限オフスイッチ通信Ｉ／Ｆ部２８から主制御部３２に入力される。
【００６２】
主制御部３２は、人体の検知信号が入力されると、負荷制御Ｉ／Ｆ部３５に人体の存在に応じた制御信号としてのリレー３８をオンにさせる制御信号を出力する。負荷制御Ｉ／Ｆ部３５は、当該制御信号に応じて、リレー３８をオンさせる。リレー３８がオンすると、照明制御装置２６の負荷端子３９，３９間に商用交流電源からの交流電圧が印加され、交流電圧は、電源線９を介して照明器具６に配設されている点灯装置に入力される。そして、点灯装置は、蛍光ランプ７を点灯させる。このように、主制御部３２は、人感センサ２５が人体を検知したときに、照明器具６の蛍光ランプ７を点灯させる。そして、時限オフスイッチ装置５のスイッチ部５ａの手動操作により照明器具６の蛍光ランプ７が強制的に点灯されている一定期間内に、人感センサ２５により人体が検知されると、蛍光ランプ７は、継続して点灯される。
【００６３】
そして、主制御部３２は、親機のセンサ装置２の人感センサ２５または子機のセンサ装置３，４の人感センサ２５が人体を検知した時点から第１の所定期間Ｔ１を計時部３４に計時させる。そして、計時部３４は、第１の所定期間Ｔ１の計時がタイムアップすると、計時完了の信号を主制御部３２に送出する。主制御部３２は、当該計時完了の信号が入力されると、負荷制御Ｉ／Ｆ部３５に出力しているリレー３８をオンにさせる制御信号を停止する。負荷制御Ｉ／Ｆ部３５は、当該制御信号の停止により、リレー３８をオフにする。これにより、負荷端子３９，３９間に商用交流電源からの交流電圧が印加されなくなり、点灯装置は給電されなくなり、蛍光ランプ７は消灯する。
【００６４】
また、主制御部３２は、計時部３４が第１の所定期間Ｔ１を計時しているときに、人感センサ２５が人体を検知して、人体の検知信号が子機・時限オフスイッチ通信Ｉ／Ｆ部２８から入力されると、計時部３４による計時をリスタートさせる。すなわち、主制御部３２は、人感センサ２５が人体を検知するごとに、繰り返し、計時部３４に第１の所定期間Ｔ１を計時させる。
【００６５】
そして、主制御部３２は、図８（ａ）に示すように、人感センサ２５による人体の検知時点から第１の所定期間Ｔ１内に再び人感センサ２５が人体を検知しないときに蛍光ランプ７を消灯させる。
【００６６】
そして、例えば外出するときに、玄関に設けられている時限オフスイッチ装置５のスイッチ部５ａを手動操作する。すると、外部操作信号が照明制御装置２６の子機・時限オフスイッチ通信Ｉ／Ｆ部２８に入力され、さらに子機・時限オフスイッチ通信Ｉ／Ｆ部２８から主制御部３２に入力される。
【００６７】
主制御部３２は、蛍光ランプ７が点灯しているときに、子機・時限オフスイッチ通信Ｉ／Ｆ部２８から外部操作信号を入力すると、負荷制御Ｉ／Ｆ部３５に対するリレー３８をオンにさせる制御信号の出力を停止する。この制御信号の停止により、負荷制御Ｉ／Ｆ部３５は、リレー３８をオフにする。すなわち、時限オフスイッチ装置５のスイッチ部５ａが手動操作され、時限オフスイッチ装置５から外部操作信号が出力されると、蛍光ランプ７を強制的に消灯させる。そして、当該手動操作の時点から第２の所定期間Ｔ２に亘って人感センサ２５による検知信号に応じた蛍光ランプ７の制御を停止させる。すなわち、図８（ｂ）に示すように、第２の所定期間Ｔ２の計時中に、人感センサ２５が人体を検知して検知信号が主制御部３２に入力されても、主制御部３２は、蛍光ランプ７は強制的に消灯させる。そして、主制御部３２は、第２の所定期間Ｔ２経過後に、人感センサ２５による検知信号に応じた蛍光ランプ７の制御を停止することを解除し、再び人感センサ２５による検知信号に応じて蛍光ランプ７の点消灯を制御する。また、主制御部３２は、第２の所定期間中または人感センサ２５が人体を検知する前に時限オフスイッチ装置５のスイッチ部５ａが操作されると、蛍光ランプ７を強制的に一定期間点灯させる。
【００６８】
なお、図８において、動作モードの自動モードは、人感センサ２５の検知信号に応じて、主制御部３２が蛍光ランプ７の点消灯を制御していること、すなわちセンサ制御手段による制御をしていることを表している。また、時限オフモードは、時限オフスイッチ装置５からの外部操作信号に応じて、主制御部３２が蛍光ランプ７を強制的に消灯制御している（外部操作制御手段による制御）ことを表している。
【００６９】
上述したように、人感センサ２５が人体を検出する前に、例えば玄関に設けられている時限オフスイッチ装置５のスイッチ部５ａを手動操作すると、蛍光ランプ７が一定期間に亘って点灯されるので、例えば暗闇の中を移動することがなく、蛍光ランプ７が点灯している部屋までの移動が容易となるとともに、部屋に達したときに蛍光ランプ７が点灯していることにより違和感が防止される。
【００７０】
そして、人感センサ２５の検知信号に応じて蛍光ランプ７が点灯しているときに、時限オフスイッチ装置５のスイッチ部５ａを手動操作することにより、第２の所定期間Ｔ２に亘って蛍光ランプ７が強制的に消灯されるので、人体の不存在時に、蛍光ランプ７が点灯することによる無駄な消費電力を無くすことができる。
【００７１】
なお、負荷制御Ｉ／Ｆ部３５は、主制御部３２からリレー３８をオンにさせる制御信号が出力されたときにリレー３８をオンし、当該制御信号の出力の停止によりリレー３８をオフさせるように構成されているが、これに限らず、主制御部３２から人体の存在に応じた制御信号としてのパルス信号が出力されたときにリレー３８をオンすると共にオン状態を保持し、主制御部３２から人体の不存在に応じた制御信号としてのパルス信号が出力されたときにリレー３８のオン状態の保持を解除してリレー３８をオフさせるように構成してもよい。
【００７２】
また、時限オフスイッチ装置５のスイッチ部５ａは、蛍光ランプ７の点灯用、消灯用に分割されていてもよい。
【００７３】
次に、本発明の第２の実施形態について説明する。
【００７４】
図９は、本発明の第２の実施形態を示す照明制御装置の概略ブロック図である。なお、図４と同一部分には同一符号を付して説明は省略する。
【００７５】
図９に示す照明制御装置５２は、図４に示す照明制御装置２６において、外部操作手段としての手動スイッチ５３が入力端子５４，５４を介して主制御部３２に接続されたものであり、信号線１０に時限オフスイッチ装置５が接続されないものである。
【００７６】
手動スイッチ５３をオン操作することにより、このオン操作が主制御部３２により検出される。そして、主制御部３２は、第１の実施形態において説明したように、人感センサ２５が人体を検出する前に前記オン操作を検出すると、蛍光ランプ７を一定期間に亘って点灯させ、蛍光ランプ７が点灯しているときに前記オン操作を検出すると、第２の所定期間Ｔ２に亘って人感センサ２５の検知信号に応じた蛍光ランプ７の制御を停止し、蛍光ランプ７を強制的に消灯させる。
【００７７】
なお、第１および第２の実施形態において、リモコン送信機２２から蛍光ランプ７を強制的に消灯させる送信信号（外部操作信号）をリモコン受信部２３に送信するようにしてもよい。主制御部３２は、リモコン受信部２３から当該送信信号を入力することにより、第２の所定期間Ｔ２に亘って人感センサ２５の検知信号に応じた蛍光ランプ７の制御を停止し、蛍光ランプ７を強制的に消灯させるように制御する。
【００７８】
また、主制御部３２は、時限オフスイッチ装置５のスイッチ部５ａ、手動スイッチ５３およびリモコン送信機２２からの外部操作信号に応じて、蛍光ランプ７を調光させるように制御してもよい。
【図面の簡単な説明】
【００７９】
【図１】本発明の第１の実施形態を示す照明装置の概略構成図。
【図２】同じく、天井に取り付けられた状態の親機のセンサ装置の概略正面図。
【図３】同じく、親機のセンサ装置のカバーが取り外された状態の概略下面図。
【図４】同じく、照明制御装置の概略ブロック図。
【図５】同じく、子機のセンサ装置の概略回路図。
【図６】同じく、時限オフスイッチ装置の概略回路図。
【図７】同じく、信号線に伝送される検知信号および操作信号の信号図。
【図８】同じく、照明負荷の制御を示す動作図。
【図９】本発明の第２の実施形態を示す照明制御装置の概略ブロック図。
【符号の説明】
【００８０】
１…照明装置
５…外部操作手段としての時限スイッチ装置
７…照明負荷としての蛍光ランプ
２０，２１…設定手段としてのフェーダ
２５…人感センサ
３２…センサ制御手段および外部操作制御手段としての主制御部
３５…センサ制御手段および外部操作制御手段としての負荷制御Ｉ／Ｆ部
５３…外部操作手段としての手動スイッチ
【図１】
2005285542.tif 000003
【図２】
2005285542.tif 000004
【図３】
2005285542.tif 000005
【図４】
2005285542.tif 000006
【図５】
2005285542.tif 000007
【図６】
2005285542.tif 000008
【図７】
2005285542.tif 000009
【図８】
2005285542.tif 000010
【図９】
2005285542.tif 000011